(57)【特許請求の範囲】
【請求項１】
防草ブロック用の型枠には、屈光性と屈地性に逆らう面を備えた中子を挿脱自在に設け、また、この型枠には、この中子の挿脱を司る機構を設けた構成であり、
この機構で、前記型枠に設けた開口から、この型枠内に、前記中子を挿入し、防草ブロックを成型可能とし、また、前記型枠に設けた開口から、この型枠内より、この中子を脱型し、成型された防草ブロックを脱型する防草ブロック成型用の型枠において、
前記機構を、リンク機構とし、このリンク機構は、前記型枠の側壁のケーシングに移動可能に設けた支持リンクと、この支持リンクに枢支した可動リンクとで構成し、この可動リンクの自由端に、前記中子を設ける構成とした防草ブロック成型用の型枠。
【請求項２】
防草ブロック用の型枠には、屈光性と屈地性に逆らう面を備えた中子を挿脱自在に設け、また、この型枠には、この中子の挿脱を司る機構を設けた構成であり、
この機構で、前記型枠の上端に鉤形のフックで取付けることで、この型枠内に、前記中子を挿入し、防草ブロックを成型可能とし、また、前記型枠内より、この中子を脱型し、成型された防草ブロックを脱型する防草ブロック成型用の型枠において、
前記機構を、前記型枠内に取付け可能な支持部材とし、この支持部材に前記中子を設ける構成とした防草ブロック成型用の型枠。
【請求項３】
防草ブロック用の型枠には、屈光性と屈地性に逆らう面を備えた中子を挿脱自在に設け、また、この型枠には、当該型枠の側壁の溝と、この溝に移動可能に設けた転子でなる移動機構により、前記中子の挿脱を司る機構を設けた構成であり、
この機構で、前記型枠内に、前記中子を挿入し、防草ブロックを成型可能とし、また、前記型枠内より、この中子を脱型し、成型された防草ブロックを脱型する防草ブロック成型用の型枠において、
前記機構を、前記型枠内に挿脱自在に取付けられ、かつこの型枠の内面に添設される支持部材とし、この支持部材に前記中子を設ける構成とした防草ブロック成型用の型枠。
【請求項４】
請求項１〜請求項３の何れか一項に記載の防草ブロック成型用の型枠であって、
前記中子に抜き勾配を設ける構成とした防草ブロック成型用の型枠。
【発明の詳細な説明】
【技術分野】
【０００１】
本発明は、防草ブロック成型用の型枠に関する。
【背景技術】
【０００２】
防草ブロック用の型枠としては、種々の構造のものが提案されている。例えば、特開２００６−５２６２６号公報に記載の型枠が存在する（特許文献１）。この型枠は、型枠本体に、下向き角度が略７０°の傾斜面を有する防草用の突起を設けた構造であって、この突起を利用し、構造物か、又はブロック等に防草用の前記傾斜面を有する凹部を形成したことを特徴とする。この発明は、屈光性と屈地性に逆らう傾斜面を備えた防草構造物等を、現場において、成型するには最適である。しかし、歩道、車道等の境界用の防草ブロックを成型するには、小型で、量産化が可能な型枠が、要望される。
【０００３】
この要望に応え得るものとして、特開２０１０−１７９５２２号公報に記載の型枠が存在する（特許文献２）。この型枠は、複数個のコンクリート製品を一度に成型することと、中子の有無を調整し、防草ブロックと、通常のブロックとを区別して成型可能とすること、この中子を確実に支持するために、型枠の内面にピンを突設すること、等を特徴とする。しかし、中子をいちいち取付けることを意図する故に、手間を要すること、作業性が劣ること、等の改良点を抱えている。
【０００４】
【特許文献１】特開２００６−５２６２６号公報
【特許文献２】特開２０１０−１７９５２２号公報
【発明の概要】
【発明が解決しようとする課題】
【０００５】
上記に鑑み、本発明は、ワンタッチで防草ブロックを成型すること、中子の取付けと、その取外しを無くし、効率的かつ合理的に防草ブロックを成型すること、成型された防草ブロックの正確性と、低コスト化を図りつつ、かつ防草効果を確実に図ること、等を意図する。
【課題を解決するための手段】
【０００６】
【０００７】
【０００８】
【０００９】
【００１０】
【００１１】
【００１２】
請求項１の発明は、屈光性と屈地性に逆らう一組の面（傾斜面）を備えた防草ブロックを、ワンタッチで成型すること、中子の取付けと、その取外しを無くし、効率的かつ合理的に防草ブロックを成型すること、成型された防草ブロックの正確性と、低コスト化を図りつつ、かつ防草効果を確実に図ること、等を意図する。また、請求項１の発明は、この傾斜面は、前記屈光性と屈地性に逆らう機能を達成するに有益な長さ（例えば、５ｃｍ〜７ｃｍ程度で型抜きに適する長さ）を備えた構造とし、防草効果を達成することを意図する。また、請求項１の発明は、中子を型枠からスムーズに脱型する、簡易なリンク機構の構造を提案する。
【００１３】
請求項１は、防草ブロック用の型枠には、屈光性と屈地性に逆らう面を備えた中子を挿脱自在に設け、また、この型枠には、この中子の挿脱を司る機構を設けた構成であり、
この機構で、前記型枠に設けた開口から、この型枠内に、前記中子を挿入し、防草ブロックを成型可能とし、また、前記型枠に設けた開口から、この型枠内より、この中子を脱型し、成型された防草ブロックを脱型する防草ブロック成型用の型枠において、
前記機構を、リンク機構とし、このリンク機構は、前記型枠の側壁のケーシングに移動可能に設けた支持リンクと、この支持リンクに枢支した可動リンクとで構成し、この可動リンクの自由端に、前記中子を設ける構成とした防草ブロック成型用の型枠である。
【００１４】
請求項２の発明は、中子付の支持部材を、型枠に容易に着脱できる構造の提案をすること、請求項１の意図を達成すること、等にある。
【００１５】
請求項２は、防草ブロック用の型枠には、屈光性と屈地性に逆らう面を備えた中子を挿脱自在に設け、また、この型枠には、この中子の挿脱を司る機構を設けた構成であり、
この機構で、前記型枠の上端に鉤形のフックで取付けることで、この型枠内に、前記中子を挿入し、防草ブロックを成型可能とし、また、前記型枠内より、この中子を脱型し、成型された防草ブロックを脱型する防草ブロック成型用の型枠において、
前記機構を、前記型枠内に取付け可能な支持部材とし、この支持部材に前記中子を設ける構成とした防草ブロック成型用の型枠である。
【００１６】
請求項３の発明は、中子付の支持部材を、型枠に容易に挿脱できる構造の提案をすること、請求項１の意図を達成すること、等にある。
【００１７】
請求項３は、防草ブロック用の型枠には、屈光性と屈地性に逆らう面を備えた中子を挿脱自在に設け、また、この型枠には、当該型枠の側壁の溝と、この溝に移動可能に設けた転子でなる移動機構により、前記中子の挿脱を司る機構を設けた構成であり、
この機構で、前記型枠内に、前記中子を挿入し、防草ブロックを成型可能とし、また、前記型枠内より、この中子を脱型し、成型された防草ブロックを脱型する防草ブロック成型用の型枠において、
前記機構を、前記型枠内に挿脱自在に取付けられ、かつこの型枠の内面に添設される支持部材とし、この支持部材に前記中子を設ける構成とした防草ブロック成型用の型枠である。
【００１８】
【００１９】
【００２０】
【００２１】
【００２２】
請求項４の発明は、中子を型枠からスムーズに脱型するための手段を提供すること、請求項１の意図を達成すること、等にある。
【００２３】
請求項４は、請求項１〜請求項３の何れか一項に記載の防草ブロック成型用の型枠であって、
前記中子に抜き勾配を設ける構成とした防草ブロック成型用の型枠である。
【００２４】
【００２５】
【発明の効果】
【００２６】
【００２７】
【００２８】
【００２９】
【００３０】
【００３１】
【００３２】
請求項１は、防草ブロック用の型枠には、屈光性と屈地性に逆らう面を備えた中子を挿脱自在に設け、また、型枠には、中子の挿脱を司る機構を設けた構成であり、
機構で、型枠に設けた開口から、型枠内に、中子を挿入し、防草ブロックを成型可能とし、また、型枠に設けた開口から、型枠内より、中子を脱型し、成型された防草ブロックを脱型する防草ブロック成型用の型枠において、
機構を、リンク機構とし、リンク機構は、型枠の側壁のケーシングに移動可能に設けた支持リンクと、支持リンクに枢支した可動リンクとで構成し、可動リンクの自由端に、中子を設ける構成とした防草ブロック成型用の型枠である。
【００３３】
請求項１の発明は、屈光性と屈地性に逆らう一組の面（傾斜面）を備えた防草ブロックを、ワンタッチで成型すること、中子の取付けと、その取外しを無くし、効率的かつ合理的に防草ブロックを成型すること、成型された防草ブロックの正確性と、低コスト化を図りつつ、かつ防草効果を確実に図れること、等の特徴がある。また、請求項１の発明は、傾斜面は、屈光性と屈地性に逆らう機能を達成するに有益な長さ（例えば、５ｃｍ〜７ｃｍ程度で型抜きに適する長さ）を備えた構造とし、防草効果を達成できる実益がある。また、請求項１の発明は、中子を型枠からスムーズに脱型する、簡易なリンク機構の構造を提案できる。
【００３４】
請求項２は、防草ブロック用の型枠には、屈光性と屈地性に逆らう面を備えた中子を挿脱自在に設け、また、型枠には、中子の挿脱を司る機構を設けた構成であり、
機構で、型枠の上端に鉤形のフックで取付けることで、型枠内に、中子を挿入し、防草ブロックを成型可能とし、また、型枠内より、中子を脱型し、成型された防草ブロックを脱型する防草ブロック成型用の型枠において、
機構を、型枠内に取付け可能な支持部材とし、支持部材に前記中子を設ける構成とした防草ブロック成型用の型枠である。
【００３５】
請求項２の発明は、中子付の支持部材を、型枠に容易に着脱できる構造の提案をすること、請求項１の意図を達成できること、等の特徴がある。
【００３６】
請求項３は、防草ブロック用の型枠には、屈光性と屈地性に逆らう面を備えた中子を挿脱自在に設け、また、型枠には、型枠の側壁の溝と、溝に移動可能に設けた転子でなる移動機構により、中子の挿脱を司る機構を設けた構成であり、
機構で、型枠内に、中子を挿入し、防草ブロックを成型可能とし、また、型枠内より、中子を脱型し、成型された防草ブロックを脱型する防草ブロック成型用の型枠において、
機構を、型枠内に挿脱自在に取付けられ、かつ型枠の内面に添設される支持部材とし、支持部材に中子を設ける構成とした防草ブロック成型用の型枠である。
【００３７】
請求項３の発明は、中子付の支持部材を、型枠に容易に挿脱できる構造を提案できること、請求項１の意図を達成できること、等の特徴がある。
【００３８】
【００３９】
【００４０】
【００４１】
【００４２】
請求項４は、請求項１〜請求項３の何れか一項に記載の防草ブロック成型用の型枠であって、
中子に抜き勾配を設ける構成とした防草ブロック成型用の型枠である。
【００４３】
請求項４の発明は、中子を型枠からスムーズに脱型するための手段を提供できること、請求項１の意図を達成できること、等の特徴がある。
【００４４】
【００４５】
【図面の簡単な説明】
【００４６】
【図１−１】防草ブロックの一例（境界ブロック）を示した断面図
【図１−２】防草ブロックの他の一例（歩車道境界ブロック）を示した断面図
【図２−１】防草ブロックを成型する第一実施例を示した全体の断面図
【図２−２】第一実施例において中子をブロックより取外す（脱型する）過程を順に示したものであり、一方側壁が可動式の構造の断面模式図
【図２−３】第一実施例において中子をブロックより取外す（脱型する）過程を順に示したものであり、一方側壁が固定式の構造の断面模式図
【図３−１】防草ブロックを成型する第二実施例を示した全体の断面図
【図３−２】第二実施例において中子をブロックより取外す（脱型する）過程を順に示したものであり、一方側壁が可動式の構造の断面模式図
【図４−１】防草ブロックを成型する中子の一例を示した拡大側壁図
【図４−２】防草ブロックを成型する中子の他の一例を示した拡大側壁図
【図５】第三実施例を示した全体の断面図
【図６−１】第四実施例を示した全体の断面図
【図６−２】第四実施例における中子と支持部材との一例を示した端面図
【図７−１】第五実施例を示した全体の断面図
【図７−２】第五実施例の中子の一例を示した端面図
【図７−３】第五実施例の中子の他の一例を示した端面図
【図８−１】第六実施例を示した全体の断面図
【図８−２】第六実施例の中子の一例を示した端面図
【図８−３】第六実施例の中子と型枠との他の一例を示した端面図
【図８−４】第六実施例の中子と型枠との別の一例を示した端面図
【図９−１】第七実施例の一例を示した全体の断面図
【図９−２−１】第七実施例の他の一例を示した全体の断面図
【図９−２−２】図９−２−１の一方側壁の開放状態を示した端面図
【図１０−１】第八実施例の他の一例を示した全体の断面図
【図１０−２】図１０−１の要部の拡大断面図
【発明を実施するための形態】
【００４７】
以下、本発明の好ましい各実施例を、図面に基づいて説明する。
【００４８】
図１−１と、図１−２は、防草ブロック１の一例である。図１−１において、境界ブロック１００の側壁１００ａに、屈光性と屈地性に逆らう機能を達成するに有益な長さと、傾斜角度を備えた凹部２を形成する。この凹部２は、傾斜面２００と、２０１とを有する。この傾斜面２００、２０１と、打設するコンクリート３（路面材）との間に、雑草の根と芽の伸張防止を図る（防草効果が図れる）傾斜防草部５、６が形成される。そして、この傾斜防草部５、６は、経年変化で、傾斜防草隙間（図示せず）となっても防草効果がある（屈光性と屈地性に逆らう機能を備えた構造の防草ブロック１となる）。また、図１−２において、歩車道境界ブロック１０１の側壁１０１ａ、１０１ｂに、屈光性と屈地性に逆らう機能を達成するに有益な長さと、傾斜角度を備えた凹部２を形成する。その他の構造は、図１−１の例に準ずる。
【００４９】
図２−１と、図２−２は、防草ブロック１を成型する第一実施例を示しており、型枠１０は（防草ブロック１の設置状態の形態）、側壁１０ａ、１０ｂ（側面）と底壁１０ｃ（底面）、又は上壁１０ｄ（天井面）とで形成された方形箱形（立方体、又は長方形状等）を呈する。尚、この側壁１０ｂと底壁１０ｃ、又は上壁１０ｄは、一体枠体構造とする。また、側壁１０ｂと上壁１０ｄとの廉潔角部は、Ｒ形状１０ｅとする。この第一実施例では、一方側壁１０ａは、底壁１０ｃに枢着１１されており、この枢着１１を基点として、側壁１０ａが開閉するとともに、側壁１０ａに形成された開口１２から、後述する第一のリンク機構を介して、指形の中子１５が脱抜される。この中子１５の脱型（脱抜）と、側壁１０ａの開放とで、この型枠１０で成型された防草ブロック１を、取出し可能とする。また、中子１５は、側壁１０ａの開口１２を閉塞する大きさを備えた鍔片１６に設けられるとともに、この中子１５は、この鍔片１６に設けた可動リンク１７と、この可動リンク１７の枢軸１８と、この枢軸１８に枢着され、かつ可動リンク１７を支持する前記側壁１０ａの上側（但し、防草ブロック１の設置時においても同様、上側）に直角に延設した支持リンク１９とでなる第一リンク機構を介して、前述の如く、中子１５は、型枠１０より脱抜（脱型）される。この中子１５の型枠１０からの脱抜と、型枠１０の復帰について、図２−２を基に説明すると、人手か、機械・装置を介して（以下同じ）、側壁１０ａが枢着１１を支点として、反時計方向に可動する（型枠１０の一方側壁１０ａが、向って左方向に開口する）と、これに追従して、可動リンク１７が自動的に枢軸１８を支点として、反時計方向に可動（揺動）する。この枢着１１と、枢軸１８の総合的な可動により、中子１５が防草ブロック１の凹部２から脱型（脱外）される。その後、開放された型枠１０より、養生した後に、防草ブロック１を脱型することで、例えば、図１−１、図１−２に示した防草ブロック１が成型される。尚、型枠１０の開口１２は、中子１５の取付側１５ａに設けた鍔片１６を介して、この開口１２を密閉する構造とし、型枠１０内に充填されたコンクリートが漏洩しない構造とする。図２−３の如く、開放された側壁１０ａを介して、防草ブロック１を脱型するので、ワンタッチで、かつ確実、簡易に脱型できる特徴がある。尚、図示しないが、底壁１０ｃの開放を介して、防草ブロック１を脱型することもあり得る。また、側壁１０ａを、枢着１１を支点として戻す（時計方向に可動する）と、前述とは逆の可動となり、型枠１０が最初の状態に戻る構造である。尚、指形の中子１５は、凹部２の傾斜面２００を形成する緩やかな曲面を備えた上向き面１５ｂと、また、凹部２の傾斜面２０１を形成する緩やかな曲面を備えた上向き面１５ｂを備えた構造である。
【００５０】
図３−１と、図３−２は、防草ブロック１を成型する第二実施例を示しており、型枠１０の構造は（防草ブロック１の設置状態の形態）、第一実施例に準ずる。そこで、第二実施例の特徴を説明すると、支持リンク１９の基部１９ａを、ケーシング２０内を昇降自在に設ける構造とし、可動リンク１７に対する負担を軽減する構造である。従って、この第二実施例では、一方側壁１０ａは、底壁１０ｃに枢着１１されており、この枢着１１を基点として、側壁１０ａが開閉するとともに、側壁１０ａに形成された開口１２から、後述する第二のリンク機構を介して、指形の中子１５が脱抜される。この中子１５の脱型と、側壁１０ａの開放とで、この型枠１０で成型された防草ブロック１を、取出し可能とする。また、中子１５は、側壁１０ａの開口１２を閉塞する大きさを備えた鍔片１６に設けられるとともに、この中子１５は、この鍔片１６に設けた可動リンク１７と、この可動リンク１７の枢軸１８と、この枢軸１８に枢着され、かつ可動リンク１７を支持する前記側壁１０ａの上側に直角に延設した支持リンク１９とでなる第二リンク機構を介して、前述の如く、中子１５が脱抜される。この中子１５の型枠１０からの脱抜と、型枠１０の復帰について、図３−２を基に説明すると、側壁１０ａが枢着１１を支点として、反時計方向に可動する（型枠１０の一方側壁１０ａが、向って左方向に開口する）と、これに追従して、可動リンク１７が自動的に枢軸１８を支点として、反時計方向に可動するとともに、ケーシング２０内を、基部１９ａが移動する。この枢着１１と、枢軸１８との総合的な可動、並びに基部１９ａの移動とにより、中子１５が防草ブロック１の凹部２から脱型される。その後、開放された型枠１０より、養生した後に、防草ブロック１を脱型することで、例えば、図１−１、図１−２に示した防草ブロック１が成型される。その他は、前述の第一実施例に準ずる。尚、側壁１０ａを、枢着１１を支点として戻すと、前述とは逆の可動と移動となり、型枠１０が最初の状態に戻る構造である。その他は、前述の第一実施例に準ずる。
【００５１】
図４−１と、図４−２は、凹部２の好ましい一例を示したものであり、前記枢軸１８を基準として、中子１５の抜き勾配を示しており、図４−１が５０°を、図４−２が４５°を示している。
【００５２】
また、図５は、防草ブロック１を成型する第三実施例を示しており、第一実施例を逆とした構造であって、型枠１０（防草ブロック１の反設置状態の形態）の底壁１０ｃ（図面上で上方側を示している）を無くした構造である。リンク機構は、前記第一のリンク機構とする。この可動リンク１７は、側壁１０ａが固定であるので、可動リンク１７を、支持リンク１９の枢軸１８を支点として、反時計方向に可動する。この可動を順次、繰返すことで、順次、可動リンク１７が、反時計方向に可動し、指形の中子１５が型枠１０より脱型する構造である。その可動リンク１７と中子１５の戻りは、原則として、自重で戻る構造とすることで、作業の簡便化・能率化、又は終了の簡素化等に役立つことが考えられる。この第三実施例では、防草ブロック１は、底壁１０ｃ側から脱型する。
【００５３】
次に、図６−１と、図６−２は、防草ブロック１を成型する第四実施例を示しており、指形の中子１５を、支持部材２２を介して、型枠１０（防草ブロック１の反設置状態の形態）に、着脱自在に装着する構造である。支持部材２２の、例えば、鉤形等のフック２２ａを利用し、この支持部材２２を側壁１０ａに添設し、かつこの支持部材２２を側壁１０ａに、着脱自在に装着して吊下する（吊下げ、又は挾持等して取付け、取外し自在とする）。この状態でコンクリートを充填し、成型及び養生した後に、防草ブロック１とともに、中子１５と支持部材２２を、型枠１０より取外し、図６−２の如く、中子１５と支持部材２２を、防草ブロック１より取外すことで、例えば、図１−１、図１−２に示した防草ブロック１が成型される。その他は、前述の第三実施例に準ずる。
【００５４】
次に、図７−１と、図７−２は、防草ブロック１を成型する第五実施例を示しており、キャップ形の中子１５（但し、図７−３は、指形の中子１５）を、支持部材２２を介して、型枠１０の開口１２に型枠１０（防草ブロック１の反設置状態の形態）を、着脱自在に装着する構造である。支持部材２２の鉤形等のフック２２ａを利用し、この支持部材２２を側壁１０ａに添設し、かつこの支持部材２２を側壁１０ａに、着脱自在に装着する。この状態でコンクリートを充填し、成型及び養生した後に、図示しないが、防草ブロック１とともに、中子１５と支持部材２２を、型枠１０より取外し、その後、図７−２の如く、中子１５と支持部材２２を、防草ブロック１より取外すことで、例えば、図１−１、図１−２に示した防草ブロック１が成型される。このキャップ形の中子１５は、凹部２の傾斜面２００を形成するストレートの上向き面１５ｂと、また、凹部２の傾斜面２０１を形成するストレートの下向き面１５ｃを備えた構造である。そして、この第五実施例では、防草ブロック１の下側（底壁１０ｃ）に向って開放された凹部２が形成される。尚、図示しないが、防草ブロック１の上側（上壁１０ｄ）に向って開放された凹部２が形成される。図７−３は、図７−２の他の例を示しており、指形の中子１５を示している。
【００５５】
図８−１〜図８−４は、防草ブロック１を成型する第六実施例を示しており、防草ブロック１に開放型の凹部２を設ける構造の型枠１０（防草ブロック１の反設置状態の形態）であって、側壁１０ａの下側（図面上では、上側であり、底壁１０ｃに開放する）に支持部材２２（機構）を介して、型枠１０の開口１２に山形の中子１５を装着、可動自在、或いは移動可能等とする。その取扱は、前述の第四・第五実施例等に準ずる。そして、この第六実施例では、防草ブロック１の底面と、側面との角部に山形の凹部２が形成される。また、図８−３は、支持部材２２を、側壁１０ａに枢支２３することで、中子１５を可動可能とする構造である。また、図８−４は、中子１５を、移動機構２５を介して、支持部材２２に上下動できる構造とし、この中子１５を側壁１０ａの上下方向に移動可能とする。この移動機構２５により、中子１５の取出しと、防草ブロック１の容易な脱型を意図する。また、この移動機構２５は、例えば、溝２５ａと転子２５ｂとによる一例の構造である。山形の中子１５は、凹部２の傾斜面２００を形成するストレートの上向き面１５ｂと、また、凹部２の傾斜面２０１を形成するストレートの下向き面１５ｃを備えた構造である。
【００５６】
図９−１〜図９−２−２は、防草ブロック１を成型する第七実施例を示しており、防草ブロック１に開放型の凹部２を設ける構造の型枠１０（防草ブロック１の反設置状態の形態）であって、側壁１０ａの上側（図面上では、下側であり、上壁１０ｄに開放する）に山形の隅角形態の中子１５を装着、可動自在、或いは、図示しないが、移動可能等とする。そして、この第七実施例では、防草ブロック１の上面と、側面との角部に山形の凹部２が形成される。図９−１は固定形の型枠１０を示しており、その他は第六実施例に準ずる。また、図９−２−１と図９−２−２は、側壁１０ａを上壁１０ｄに、枢支２６することで、側壁１０ａを可動可能とする構造であり、抜き勾配を備えた中子１５を利用することで、側壁１０ａの可動を図る。その他は、前述の各形と同様に、型枠１０の修理と清掃の容易化等を図る。この図９−２−２の側壁１０ａの開放状態を示す。
【００５７】
尚、図１０−１と、図１０−２は、防草ブロック１を成型する第八実施例を示しており、上壁１０ｄに設けた、例えば、円弧状の溝２５ａと転子２５ｂを介して、側壁１０ａを設けた構造であり、この側壁１０ａに設けた中子１５を、この側壁１０ａの上下動と可動とを介して、中子１５を脱型する構造であり、前述の第六実施例の図８−４とか、第一実施例の図２−２等に準ずる。また、防草ブロック１は、例えば、他の例の如く、底壁１０ｃ側から脱型される。
【符号の説明】
【００５８】
１          防草ブロック
１００      境界ブロック
１００ａ    側面
１０１      歩車道境界ブロック
１０１ａ    側面
１０１ｂ    側面
２          凹部
２００      傾斜面
２０１      傾斜面
３          コンクリート
５          傾斜防草部
６          傾斜防草部
１０        型枠
１０ａ      側壁
１０ｂ      側壁
１０ｃ      底壁
１０ｄ      上壁
１０ｅ      Ｒ形状
１１        枢着
１２        開口
１５        中子
１５ａ      取付側
１５ｂ      上向き面
１５ｃ      下向き面
１６        鍔片
１７        可動リング
１８        枢軸
１９        支持リンク
１９ａ      基部
２０        ケーシング
２２        支持部材
２２ａ      フック
２３        枢支
２５        移動機構（機構）
２５ａ      溝
２５ｂ      転子
２６        枢支
【図１−１】
0005650591.tif 000002
【図１−２】
0005650591.tif 000003
【図２−１】
0005650591.tif 000004
【図２−２】
0005650591.tif 000005
【図２−３】
0005650591.tif 000006
【図３−１】
0005650591.tif 000007
【図３−２】
0005650591.tif 000008
【図４−１】
0005650591.tif 000009
【図４−２】
0005650591.tif 000010
【図５】
0005650591.tif 000011
【図６−１】
0005650591.tif 000012
【図６−２】
0005650591.tif 000013
【図７−１】
0005650591.tif 000014
【図７−２】
0005650591.tif 000015
【図７−３】
0005650591.tif 000016
【図８−１】
0005650591.tif 000017
【図８−２】
0005650591.tif 000018
【図８−３】
0005650591.tif 000019
【図８−４】
0005650591.tif 000020
【図９−１】
0005650591.tif 000021
【図９−２−１】
0005650591.tif 000022
【図９−２−２】
0005650591.tif 000023
【図１０−１】
0005650591.tif 000024
【図１０−２】
0005650591.tif 000025